(57)【要約】  例示的なシステムは、前縁部分および後縁部分を有する積み重ね部分であって、この積み重ね部分は、後縁部分から前縁部分への方向に積み重ね部分内へ搬送された印刷媒体群を受け取るためのものである、積み重ね部分と、印刷媒体群の搬送方向に長手方向に延びるバークランプと、バークランプを積み重ね部分上に選択的に伸長させ、バークランプを積み重ね部分から収縮させるための駆動機構と、を含む。
2019526518.tif 000002
【特許請求の範囲】
【請求項１】
前縁部分および後縁部分を有する積み重ね部分であって、前記積み重ね部分は、前記後縁部分から前記前縁部分への方向に前記積み重ね部分内へ搬送された印刷媒体群を受け取るためのものである、積み重ね部分と、
前記印刷媒体群の前記搬送方向において長手方向に延びるバークランプと、
前記バークランプを前記積み重ね部分上へ選択的に伸長させ、前記バークランプを前記積み重ね部分から収縮させるための駆動機構と、
を備える、システム。
【請求項２】
前記バークランプが実質的に前記前縁部分から実質的に前記後縁部分まで延びる、請求項１に記載のシステム。
【請求項３】
前記駆動機構が、
前記バークランプの第１の部分に結合された被動アームと、
前記バークランプの第２の部分に結合された受動アームと、
前記被動アームを、前記バークランプを伸長させるために第１の方向に、および前記バークランプを収縮させるために第２の方向に駆動するための駆動装置と、
を含み、
前記受動アームが前記バークランプの運動を通じて前記被動アームの運動に追従する、請求項１に記載のシステム。
【請求項４】
前記バークランプの前記第１の部分が前記第２の部分の下流にある、請求項３に記載のシステム。
【請求項５】
前記受動アームに結合されたロストモーション機構であって、前記ロストモーション機構は前記受動アームを前記第１の方向に付勢する、ロストモーション機構をさらに備える、請求項４に記載のシステム。
【請求項６】
前記ロストモーション機構は、前記被動アームが前記第１の方向に駆動されると、前記バークランプに、前記積み重ね部分の前記前縁部分より先に前記積み重ね部分の前記後縁部分と接触させるためのものである、請求項５に記載のシステム。
【請求項７】
前記印刷媒体群の前記搬送方向において長手方向に延びる第２のバークランプであって、前記バークランプおよび前記第２のバークランプが前記積み重ね部分の反対の側に位置付けられている、第２のバークランプをさらに備え、
前記被動アームが第１のクロスバーを通じて前記バークランプの前記第１の部分に結合されており、前記第１のクロスバーは前記第２のバークランプの第１の部分にさらに結合されており、
前記受動アームが第２のクロスバーを通じて前記バークランプの前記第２の部分に結合されており、前記第２のクロスバーは前記第２のバークランプの第２の部分にさらに結合されている、
請求項３に記載のシステム。
【請求項８】
バークランプと、
前記バークランプ上の第１の位置に結合された第１のアームであって、前記第１のアームは、駆動機構によって、前記第１のアームを枠に対して選択的に伸長させるか、または収縮させるように駆動される、第１のアームと、
前記枠、および前記バークランプ上の第２の位置に結合された第２のアームであって、前記第２のアームは前記バークランプの運動を通じて前記第１のアームの運動に実質的に追従する、第２のアームと、
前記第２のアームを前記枠に結合するロストモーション機構と、
を備えるシステム。
【請求項９】
前記ロストモーション機構は、前記第２のアームを、前記第１のアームよりも伸長させられるように付勢するための弾性部材を含む、請求項８に記載のシステム。
【請求項１０】
前記バークランプと並列に延びる第２のバークランプをさらに備え、
前記第１のアームが第１のクロスバーを通じて前記バークランプの前記第１の部分に結合されており、前記第１のクロスバーは前記第２のバークランプの第１の部分にさらに結合されており、
前記第２のアームが第２のクロスバーを通じて前記バークランプの前記第２の部分に結合されており、前記第２のクロスバーは前記第２のバークランプの第２の部分にさらに結合されている、
請求項８に記載のシステム。
【請求項１１】
進入印刷媒体が積み重ね部分へ搬送されていることを検出することと、
バークランプ機構に結合された駆動機構を作動させ、前記バークランプ機構を前記積み重ね部分から収縮させることであって、前記バークランプ機構は、前記進入印刷媒体の搬送方向と平行な長手方向に延びるバークランプを含む、収縮させることと、
前記積み重ね部分への前記進入印刷媒体の搬送の完了を検出することと、
前記駆動機構を作動させ、前記バークランプ機構を前記積み重ね部分上へ伸長させることと、
を含む方法。
【請求項１２】
前記バークランプが実質的に前記積み重ね部分の前縁部分から実質的に前記積み重ね部分の後縁部分まで延びる、請求項１１に記載の方法。
【請求項１３】
前記駆動機構が、
前記バークランプの第１の部分に結合された被動アームと、
前記バークランプの第２の部分に結合された受動アームと、
前記被動アームを、前記バークランプを伸長させるために第１の方向に、および前記バークランプを収縮させるために第２の方向に駆動するための駆動装置と、
を含み、
前記受動アームが前記バークランプの運動を通じて前記被動アームの運動に追従する、請求項１１に記載の方法。
【請求項１４】
前記駆動機構が、前記受動アームに結合されたロストモーション機構であって、前記ロストモーション機構は前記受動アームを前記第１の方向に付勢する、ロストモーション機構をさらに備える、請求項１３に記載の方法。
【請求項１５】
前記バークランプ機構は、
長手方向に延びる第２のバークランプであって、前記バークランプおよび前記第２のバークランプが前記積み重ね部分の反対の側に位置付けられている、第２のバークランプをさらに備え、
前記被動アームが第１のクロスバーを通じて前記バークランプの前記第１の部分に結合されており、前記第１のクロスバーは前記第２のバークランプの第１の部分にさらに結合されており、
前記受動アームが第２のクロスバーを通じて前記バークランプの前記第２の部分に結合されており、前記第２のクロスバーは前記第２のバークランプの第２の部分にさらに結合されている、
請求項１１に記載の方法。
【発明の詳細な説明】
【背景技術】
【０００１】
プリンタなどの画像システムは、一般的に、印刷媒体群の集合のための積み重ね領域を含む。積み重ね領域は、ユーザが印刷媒体群を受け取ることができる出力領域であり得る。例によっては、印刷媒体群が、ホチキス止め、３穴パンチ等などの後処理のために収集され得る仕上げ機構が画像システムに設けられる場合がある。この点に関して、積み重ね領域は、画像システム内において、印刷媒体群が後処理のために収集される場所にあり得る。
【０００２】
様々な例のより完全な理解のために、これより、以下の説明を添付の図面と併せて参照する。
【図面の簡単な説明】
【０００３】
【図１】媒体群クランピングのための例示的なシステムの図である。
【図２】例示的なクランプシステムの斜視図である。
【図３】バークランプが収縮位置にある状態における例示的なクランプシステムの側面図である。
【図４】バークランプが部分的伸長位置にある状態における図３の例示的なクランプシステムの側面図である。
【図５】バークランプが完全伸長位置にある状態における図３の例示的なクランプシステムの側面図である。
【図６】媒体群クランピングのための例示的なプロセスを示すフローチャートである。
【発明を実施するための形態】
【０００４】
様々な実施例は、シートのスタックを収集することができる積み重ね領域内における、シートなどの、印刷媒体群のクランピングを提供する。クランプシステムは、スタック内のシートの縁部のカールを低減または解消し、また、シートの間に閉じ込められ得る空気も低減する。様々な実施例では、システムが提供され得る。様々な実施例では、クランプシステムは、実質的に積み重ね領域の長さにわたるバークランプを含む。他の実施例では、バークランプは、前縁の一部分または後縁の一部分のみなどの、長さの一部分のみにわたって延び得る。実施例によっては、バークランプは、後縁の半分、後縁の３分の１、後縁の４分の１、または別の選択された部分にわたって延びる。この点に関して、バークランプは積み重ね領域の後縁部分から前縁部分まで延びる。一実施例では、バークランプは、２つのアーム、被動アームおよび受動（従動）アームに結合されている。被動アームは、例えば、モータによって、バークランプをスタックへ選択的に伸長させるか、またはバークランプをスタックから収縮させるように駆動される。受動アームの様々な実施例は、従動アームを下方へ付勢するための付勢構成要素を含み得るロストモーション機構を含む。それゆえ、受動アームに接続されたバークランプの部分（後縁）は被動アームに接続された部分（前縁）より先にスタックと接触する。
【０００５】
上述されたように、実施例によっては、印刷媒体群は、ホチキス止め、３穴パンチなどの、後処理のために収集される場合がある。場合によっては、積み重ねの間にインクが完全に乾燥させられない場合があるインクジェットプリンタなどにおいては、スタック内におけるシートの整列が困難になり得る。例えば、インクジェット出力シートは、縁部上に生じたカールからゆがむ場合がある。さらに、水分のせいで、シートは、カールに加えて、低下した剛性も有する場合があり、高インク密度領域は、隣接したシートとの摩擦の増大を生じさせ得る。摩擦は、スタック内における他のシートとの不整列を生じさせ得る。加えて、シートのカールは、シートの間に閉じ込められた空気を生じさせ得る。閉じ込められた空気は、スタックの高さの人工的増大などの、種々の問題を生じさせ得る。
【０００６】
したがって、本開示は、スタック内におけるシートの整列を容易にするための例示的なシステムおよび方法を記載する。本明細書に記載の様々な実施例は、整列、およびカールなどの変形の低減もしくは解消を容易にするための、積み重ね領域内におけるシートのクランピングを提供する。
【０００７】
次に図を参照すると、図１は、媒体群のクランピングのための例示的なシステムを示す。例示的なシステム１００は、例えば、プリンタまたは複写機などの、種々の画像デバイスにおいて実装され得る。実施例によっては、図１の例示的なシステム１００は画像デバイスの仕上げ部分において実装される。例示的なシステム１００は、印刷媒体群の積み重ねのための載せ台またはトレイであり得る積み重ね部分１１０を含む。例えば、図１は、例示的なシステム１００を、印刷媒体群のスタック１２０が積み重ね部分１１０上に載った状態で示す。
【０００８】
さらに、積み重ね部分１１０は、積み重ね部分１１０および／またはスタック１２０上へ搬送された印刷媒体１２２を受け取ることができる。この点に関して、例示的なシステム１００は、印刷媒体１２２を積み重ね部分１１０内へ搬送するための前進機構（図示せず）をさらに含み得る。様々な実施例では、前進機構は、印刷媒体群を、例えば、画像部分の出力から、積み重ね領域内へ運動させるように並進運動するローラおよび／またはプーラクランプを含み得る。
【０００９】
図１に示される実施例では、印刷媒体１２２は、矢印１２４によって指示される方向に搬送される。本明細書で使用するとき、（図１の左側の）印刷媒体１２２の前縁が載る積み重ね部分１１０の部分は前縁部分１１２と呼ばれる。同様に、（図１の右側の）印刷媒体１２２の後縁が載る積み重ね部分１１０の部分は後縁部分１１４と呼ばれる。前縁部分１１２および後縁部分１１４は、対応する側の領域を指し得る。この点に関して、前縁部分１１２および後縁部分１１４は、対応する縁部に限定されない。
【００１０】
図１の例示的なシステム１００はクランピング機構１３０をさらに含む。例示的なシステム１００のクランピング機構１３０は、スタック１２０などの、積み重ね領域内にあり得る他の媒体群との進入印刷媒体１２２の整列を容易にするために提供される。この点に関して、クランピング機構１３０は、カールおよび空気の閉じ込めなどの、上述された問題を低減するか、最小限にとどめるか、または解消するように機能する様々な特徴を与えられている。
【００１１】
例示的なシステム１００のクランピング機構１３０は、積み重ね部分１１０によって形成される積み重ね領域内において長手方向に延びるバークランプ１４０が設けられている。この点に関して、バークランプ１４０は進入印刷媒体１２２の搬送方向１２４に延びる。一実施例では、バークランプ１４０は積み重ね部分１１０の前縁部分１１２から積み重ね部分１１０の後縁部分１１４まで延びる。様々な実施例では、バークランプ１４０の長さは要望に応じて選択され得る。例えば、一例では、バークランプ１４０は積み重ね部分１１０の実質的に全長にわたる。他の例では、バークランプ１４０は積み重ね部分１１０の一部分のみの上方に延びる。
【００１２】
図１の例示的なシステム１００のクランピング機構１３０は、図１における両矢印１４２によって指示されるように、バークランプを積み重ね部分上へ選択的に伸長させ、バークランプを積み重ね部分から収縮させるための駆動装置１５０をさらに含む。様々な実施例では、駆動装置１５０はモータおよび／または歯車機構を含み得る。駆動装置１５０は、モータの作動によって伸長または収縮させることができるアームなどの、種々の仕方でバークランプ１４０に結合され得る。
【００１３】
次に図２を参照すると、例示的なクランプシステム２００が斜視図で示されている。図２の例示的なクランプシステム２００は、紙のシートなどの、印刷媒体群のスタック２２０を収容するための載せ台（プラットフォーム）２１０を含む。この点に関して、載せ台２１０は印刷媒体群のための積み重ね領域を形成する。図２の実施例では、進入印刷媒体２２２が積み重ね領域内へ搬送され、載せ台２１０上へ、矢印２２４によって指示される方向に搬送される。したがって、載せ台２１０によって形成される積み重ね領域は、積み重ねられた時に、搬送された印刷媒体２２２の前縁が載る前縁部分２１２を含む。同様に、載せ台２１０は、積み重ねられた時に、搬送された印刷媒体２２２の後縁が載る後縁部分２１４を含む。それゆえ、後縁部分２１４は、本明細書において、前縁部分２１２の上流にあると言及され、前縁部分２１２は、本明細書において、後縁部分２１４の下流にあると言及される。
【００１４】
図２の例示的なクランプシステム２００は、積み重ね領域内への進入印刷媒体２２２の搬送を容易にするための前進機構（図２に示されていない）を含み得る。前進機構は、印刷媒体が、例えば、画像形成部分（図示せず）から、載せ台２１０の積み重ね領域内へ送られる際に、印刷媒体２２２の前縁と係合し得るプーラクランプであり得る。このとき、プーラクランプは、矢印２２４の方向に並進運動することができ、かくして、印刷媒体２２２を載せ台２１０またはスタック２２０上へ搬送する。
【００１５】
図２の例示的なクランプシステム２００は、例えば、カール、またはスタック２２０のシートの間に閉じ込められた空気を低減または解消するべく進入印刷媒体２２２および／またはスタック２２０を固定するためのクランピング機構２３０を含む。この点に関して、クランピング機構２３０は、バークランプ機構２４０、およびバークランプ機構２４０を選択的に伸長させ、収縮させるための駆動機構２５０を含む。
【００１６】
図２のバークランプ機構２４０は、互いに並列に位置付けられた第１のバークランプ２４２および第２のバークランプ２４４を含む。各バークランプ２４２、２４４は、積み重ね部分２１０によって形成される積み重ね領域内において長手方向に延びる。この点に関して、各バークランプ２４２、２４４は進入印刷媒体２２２の搬送方向２２４に延びる。以上において図１を参照して説明されたバークランプ１４０と同様に、各バークランプ２４２、２４４は積み重ね部分２１０の前縁部分２１２から積み重ね部分２１０の後縁部分２１４まで延びる。様々な実施例では、各バークランプ２４２、２４４の長さは所望に応じて選択され得る。
【００１７】
図２の例では、第１のバークランプ２４２および第２のバークランプ２４４は積み重ね部分２１０の反対の側に位置付けられている。例えば、進入媒体群２２２の搬送方向２２４から見ると、第１のバークランプ２４２は積み重ね部分２１０の右側に位置付けられており、第２のバークランプ２４４は積み重ね部分２１０の左側に位置付けられている。様々な実施例では、第１のバークランプ２４２および第２のバークランプ２４４は印刷媒体群のスタック２２０の縁部に近接して位置付けられている。バークランプ２４２、２４４の位置付けのためのスタックの縁部からの距離は所望に応じて選択される。様々な実施例では、（印刷媒体２２４の搬送方向と直交する）スタック２２０の幅に対するバークランプ２４２、２４４の位置は固定され得る。他の例では、位置は直交方向におけるバークランプ２４２、２４４のものであってもよく、異なる幅の印刷媒体群を収容するために調節可能であり得る。
【００１８】
第１のバークランプ２４２および第２のバークランプ２４４は第１のクロスバー２４６および第２のクロスバー２４８を介して互いに接続されている。この点に関して、第１のクロスバー２４６は第１のバークランプ２４２の第１の部分２４６ａにおいて第１のバークランプ２４２に結合されており、第２のバークランプ２４４の第１の部分２４６ｂにおいて第２のバークランプ２４４に結合されている。同様に、第２のクロスバー２４８は第１のバークランプ２４２の第２の部分２４８ａにおいて第１のバークランプ２４２に結合されており、第２のバークランプ２４４の第２の部分２４８ｂにおいて第２のバークランプ２４４に結合されている。
【００１９】
上述のように、駆動機構２５０は、バークランプ機構２４０を選択的に伸長させ、収縮させるために設けられている。図２の例では、駆動機構２５０は第１のアーム２５２および第２のアーム２５６を含む。第１のアーム２５２（または被動アーム）は第１のクロスバー２４６を通じてバークランプ２４２、２４４に結合されている。それゆえ、第１のアーム２５２は各バークランプ２４２、２４４のそれぞれの第１の部分２４６ａ、２４６ｂにおいてバークランプ２４２、２４４に結合されている。
【００２０】
同様に、第２のアーム２５６は第２のクロスバー２４８を通じてバークランプ２４２、２４４に結合されている。それゆえ、第２のアーム２５６は各バークランプ２４２、２４４のそれぞれの第２の部分２４８ａ、２４８ｂにおいてバークランプ２４２、２４４に結合されている。
【００２１】
図２の例では、第１のアーム２５２は、枠２６０に固着された駆動装置２５４に結合されている。枠２６０は、例えば、画像形成システムまたはその構成要素の枠であり得る。以上において図１を参照して説明された駆動装置１５０と同様に、図２の駆動装置２５４はモータおよび／または歯車機構を含み得る。駆動装置２５４は、第１のアーム２５２を時計方向または反時計方向のどちらかに枢動させるよう回転するように作動させることができる。
【００２２】
第１のアーム２５２と異なり、第２のアーム２５６は駆動されない。その代わりに、第２のアーム２５６は第１のアーム２５２の運動に実質的に追従する。それゆえ、駆動装置２５４が第１のアーム２５２を駆動するのに従い、バークランプ機構２４０は積み重ね部分２１０に向けて（図２において下方へ）伸長させられるか、または積み重ね部分２１０から（図２において上方へ）収縮させられる。バークランプ機構２４０の運動は、第１のアーム２５２の運動に実質的に追従する第２のアーム２５６の対応する運動を生じさせる。この点に関して、第２のアーム２５６は従動アームまたは受動アームと呼ばれ得る。
【００２３】
図２の例では、第２のアーム２５６はロストモーション機構２５８を通じて枠２６０に結合されている。以下において図３〜図５を参照してより詳細に説明されるように、ロストモーション機構２５８は、積み重ね部分２１０またはスタック２２０上へのバークランプ２４２、２４４の全長の位置付けを容易にするために設けられ得る。様々な実施例では、追加のロストモーション機構が第１のバークランプ２４２と第２のバークランプ２４４との間に設けられていてもよい。例えば、ロストモーション機構が第１のバークランプ２４２の第１の部分２４６ａおよび第２の部分２４８ａにおいて設けられていてもよい。
【００２４】
一例では、ロストモーション機構２５８は第２のアーム２５６を下方へ付勢する。さらに、図２に示される実施例では、第１のアーム（被動アーム）は第２のアーム（従動または受動アーム）の下流に位置付けられている。それゆえ、バークランプ２４２、２４４は、積み重ね部分２１０の後縁部分２１４上では、積み重ね部分２１０の前縁部分２１２上よりも低い。したがって、伸長させられると、バークランプ機構２４０は、バークランプ機構２４０が前縁部分２１２と接触するよりも先に、後縁部分２１４と接触する。
【００２５】
次に図３〜図５を参照すると、バークランプを有するクランプシステム３００の例示的な動作を示すために、例示的なクランプシステム３００の側面図が提供されている。まず図３を参照すると、例示的なクランプシステム３００が、印刷媒体群のシートのスタック３２０を載せ台３１０上に載せた状態で示されている。印刷媒体群は、矢印３２４によって指示される方向に載せ台３１０またはスタック３２０上へ搬送され得る。載せ台３１０は、積み重ねられた時に、搬送された印刷媒体の前縁が載る前縁部分３１２、および積み重ねられた時に、搬送された印刷媒体の後縁が載る後縁部分３１４を含む。
【００２６】
図２の例示的なシステム２００と同様に、図３の例示的なクランプシステム３００は、例えば、カール、またはスタック３２０のシートの間に閉じ込められた空気を低減または解消するべくスタック３２０を固定するためのクランピング機構３３０を含む。この点に関して、クランピング機構３３０は、バークランプ３４０、ならびにバークランプ機構３４０を選択的に伸長させ、収縮させるための駆動機構３５０を含む。
【００２７】
図３の実施例は、単一のバークランプ３４０を用いて示されている。以上において図２を参照して述べられたように、様々な実施例は、互いに実質的に並列に位置付けられた２つ以上のバークランプを含み得る。バークランプ３４０は、積み重ね部分３１０によって形成される積み重ね領域内において長手方向に延び、進入印刷媒体群（図示せず）の搬送方向３２４に延びる。
【００２８】
駆動機構３５０は第１のアーム３５２および第２のアーム３５６を含む。第１のアーム３５２はバークランプ３４０の第１の部分３４６においてバークランプ３４０に結合されている。同様に、第２のアーム３５６はバークランプ３４０の第２の部分３４８においてバークランプ３４０に結合されている。
【００２９】
図３の例では、第１のアーム３５２は、モータおよび／または歯車機構を含み得る駆動装置３５４に結合されている。駆動装置３５４は、第１のアーム３５２を時計方向または反時計方向のどちらかに枢動させるよう回転するように作動させることができる。
【００３０】
第２のアーム３５６は駆動されず、第１のアーム３５２の運動に実質的に追従する。上述されたように、駆動装置３５４が第１のアーム３５２を駆動するのに従い、バークランプ３４０は伸長させられるか、または収縮させられる。バークランプ３４０の運動は、第１のアーム３５２の運動に実質的に追従する第２のアーム３５６の対応する運動を生じさせる。
【００３１】
図３の例では、第２のアーム３５６はロストモーション機構３５８に結合されている。図３の例では、ロストモーション機構３５８は、第２のアーム３５６がロストモーション機構３５８に結合されるスライディングカプラ３６２を含む。スライディングカプラ３６２は、第２のアームのための限定された範囲の運動をもたらす。
【００３２】
図３の例示的なロストモーション機構３５８は弾性部材３６４をさらに含む。様々な実施例では、弾性部材３６４は圧縮ばねであり得る。弾性部材３６４は第２のアーム３５６を、スライディングカプラ３６２の一方の端部に位置付けられるように付勢する。それゆえ、第２のアーム３５６は、第１のアーム３５２よりも伸長した位置にある。その結果、バークランプ３４０は、前縁部分３１２上において、後縁部分３１４よりも収縮させられる。図３に示されるように、スタック３２０とバークランプ３４０との間の前縁部分３１２における距離３７０は後縁部分３１４における距離３８０よりも大きい。
【００３３】
図３の例では、例示的なクランプシステム３００は、バークランプ３４０が収縮位置にある状態で示されている。この位置において、システム３００は進入印刷媒体群を載せ台３１０またはスタック３２０上で受け取ることができる。進入媒体群が載せ台３１０またはスタック３２０上へ完全に搬送されると、駆動機構３５０は、バークランプ３４０を伸長させるように作動させられ得る。次に図４を参照すると、例示的なクランプシステム３００が、バークランプが部分的に伸長させられた状態で示されている。
【００３４】
上述のように、ロストモーション機構３５８は、第２のアーム３５６を付勢し、バークランプ３４０を後縁部分３１４においてより伸長した位置に位置付ける弾性部材３６４を含む。それゆえ、図４に示されるように、駆動機構３５０が作動させられ、バークランプ３４０が伸長させられるのに従い、まず、バークランプ３４０の後縁部分がスタック３２０と接触する。図４に示される位置において、バークランプ３４０はスタック３２０と最初に接触した。
【００３５】
次に図５を参照すると、駆動機構３５０がバークランプ３４０を引き続き駆動するのに従い、バークランプ３４０はスタック３２０と完全に接触する。この点に関して、バークランプ３４０はスタック３２０と完全に係合する。例えば、バークランプ３４０の全長がスタック３２０と接触し得る。
【００３６】
図４における位置から図５における位置へ運動する際に、ロストモーション機構３５８はバークランプ３４０の２つの端部におけるバークランプ３４０の運動の差を吸収する。この点に関して、弾性部材３６４は過剰エネルギーを吸収し、第２のアーム３５６は、スライディングカプラ３６２の反対端部の方に、またはそれにより接近して位置付けられる。ロストモーション機構３５８は、スタックの前縁またはスタックの後縁が、カール、媒体群の膨張のために、より厚いか、またはより高い場合などに、バークランプの両方の端部が下りることを確実にする。
【００３７】
次に図６を参照すると、フローチャートが、印刷媒体群のクランピングのための例示的な方法を示す。図６の例示的な方法６００は、以上において図１〜図５を参照して説明された例示的なシステム１００、２００、３００において実施されるなど、種々の仕方で実施され得る。例示的な方法６００は、進入印刷媒体が積み重ね部分へ搬送されていることを検出することを含む（ブロック６１０）。例えば、例として、画像形成部分から搬送され得る進入印刷媒体を検出するためのセンサが設けられていてもよい。
【００３８】
検出された進入印刷媒体に応じて、駆動機構を作動させ、バークランプを収縮させることができる（ブロック６２０）。例えば、図３に示されるように、駆動機構３５０がバークランプ３４０に結合されていてもよい。図３に示されるように、バークランプ３４０は進入印刷媒体の搬送方向と平行な長手方向に延びる。進入印刷媒体が検出されると、駆動機構３５０はバークランプ３４０を載せ台３２０から、図３に示される位置へ収縮させることができる。この位置において、進入印刷媒体は、妨害を受けずに積み重ね領域に入ることを可能にされ得る。
【００３９】
方法６００は、積み重ね部分への進入印刷媒体の搬送の完了を検出することをさらに含む（６３０）。次に、駆動機構を作動させ、バークランプを積み重ね部分へ伸長させることができる（ブロック６４０）。例えば、図４および図５に示されるように、バークランプ３４０は駆動機構３５０によって伸長位置へ駆動され得る。
【００４０】
それゆえ、本明細書に記載の様々な実施例によれば、印刷媒体群のクランピングを用いて、スタック内の媒体群の整列を容易にすることができる。クランピングは、進入媒体群の搬送方向に長手方向に延びるバークランプを伸長させることを含み得る。
【００４１】
様々な実施例の上述の説明は例示および説明の目的のために提示された。上述の説明は、網羅的であること、または開示されている実施例への限定であることを意図されておらず、変更および変形が、上述の教示を考慮して可能であり、あるいは様々な実施例の実施から獲得され得る。本明細書において説明された実施例は、当業者が、様々な実施例において、企図される特定の使用に適した様々な変更を施して本開示を利用することを可能にするよう、本開示の様々な実施例の諸原理および本質、ならびにその実際の適用を説明するために選定され、説明された。本明細書に記載の実施例の特徴は、方法、装置、モジュール、システム、およびコンピュータプログラム製品の全ての可能な組み合わせで組み合わせることができる。
【００４２】
また、本明細書において、以上は実施例を説明しているが、これらの説明は限定的な意味で捉えられるべきでないことにも留意されたい。むしろ、添付の請求項において定義されるとおりの範囲から逸脱することなく行われ得る、いくつかの変形および変更が存在する。
【図１】
2019526518.tif 000003
【図２】
2019526518.tif 000004
【図３】
2019526518.tif 000005
【図４】
2019526518.tif 000006
【図５】
2019526518.tif 000007
【図６】
2019526518.tif 000008
【国際調査報告】
2019526518.tif 000009